(57)【要約】 【課題】  簡易型自動消火において、設置型として消火液容量（消火能力）を任意に設定でき、機械的駆動で完結する器具を提供する。【解決手段】消火液を収納した密封容器１に放出チューブ２を接続し、放出チューブの先端にシャワー口部を設けた消火系と、高温検知で動作するセンサ部の動作を、密封容器に高圧ガス供給をなす小型ガスボンベ４の開口動作をなす作動機構部５に伝達する伝達部７を有する駆動系で構成され、伝達部７をアウターチューブとインナーワイヤーで形成し、センサ部が所定のケース部内にバネ付勢力に抗して収納した高温溶融部材とバネ付勢力で動作される作動板とで構成し、インナーワイヤー端部を作動板と作動部機構部の動作部５２に連結する。【選択図】図５
2018057489.tif 000002
【特許請求の範囲】
【請求項１】
消火液を収納した密封容器、及び前記容器内の底部まで挿入して接続した適宜長さの放出チューブ、及び放出チューブの先端に設けたシャワー口部を備えた消火系と、密封容器への高圧ガス供給源となる小型ガスボンベ、及び前記ボンベから密封容器への高圧ガス供給路の開口動作をなす作動機構部、及び高温検知によって動作するセンサ部、及びセンサ部の動作を作動機構部に伝達して動作させる伝達部を備えた駆動系で構成される自動消火器であって、前記伝達部をアウターチューブとインナーワイヤーで形成し、センサ部が所定のケース部内にバネ付勢力に抗して収納した高温溶融部材と前記バネ付勢力で動作される作動板とで構成され、前記インナーワイヤー端部と前記作動板とを連結すると共に、アウターチューブをケース部に固着し、作動機構部が、固定部と動作部で構成され、前記インナーワイヤー端部と動作部とを連結すると共に、アウターチューブを固定部に固着してなることを特徴とする簡易型自動消火器。
【請求項２】
密封容器、及び小型高圧ガスボンベ、及び作動機構部を適宜な設置可能な箱型本体内に収納し、センサ部及びシャワー口部を適宜な先端ボックスに収納し、放出チューブと伝達部を箱型本体から突設して先端ボックスを所定高さに張り出して支持する支持アーム内に収納してなる請求項１記載の簡易型自動消火器。
【請求項３】
支持アームがフレキシブルチューブである請求項２記載の簡易型自動消火器。
【請求項４】
小型高圧ガスボンベをエアゾールタイプの開閉弁内蔵型とし、作動機構部の動作部にボンベ放出口の嵌合部を設けると共に、前記嵌合部と連通する供給管を接続してなる請求項１乃至３記載の何れかの簡易型自動消火器。
【発明の詳細な説明】
【技術分野】
【０００１】
本発明は所望箇所に簡易に設置できる簡易型消火器に関するものである。
【背景技術】
【０００２】
初期消火対策としての自動消火器は、室内特にキッチンの天井やコンロ近傍に配置し、火災発生（高温雰囲気）を検知すると、消化剤等を噴射・散布を行うようにした器具で、従前より種々の構成の器具が提案される。
【０００３】
これらの器具としては、特許文献１，２に示されているように消火剤を高圧充填したボンベに熱検知開閉弁機構を付設して室内天井に設置する器具が知られている。また特許文献３には、常圧貯留消火剤と加圧媒体（高圧気体）タンクの組み合わせで、熱検知で薄いシール材で密封した加圧媒体タンクを開封する撃針機構を備え、高圧気体で常圧貯留消火剤を吸引噴射する自動消火器が開示されている。
【先行技術文献】
【特許文献】
【０００４】
【特許文献１】特開２００５−４６５７０号公報。
【特許文献２】特開２０１３−３４７１９号公報。
【特許文献３】特開２００６−１０２４１０号公報。
【発明の概要】
【発明が解決しようとする課題】
【０００５】
消火剤を高圧貯留は相応の耐圧タンクを必要とし、且つ天井装着器具においては、小型化のために消火剤の貯留量にも制限がある。また特許文献３に開示されているように、タンクなどの設置個所と消火剤噴出位置が離れていると、流出管を使用して消火剤噴出位置までの配管設置が必要であり、また消火剤噴出のために高圧媒体（高圧気体）の開放機構（撃針機構）作動のきっかけとなるアクチェータ等はセンサからの信号によって動作するので、信号及び動作のための電気的装置が必要となり、任意箇所への設置に際しては乾電池等電源を必要とする。そうすると電池の自然消耗も考慮する必要がある。
【０００６】
更に従前の自動消火器は構造が複雑であるために、その製造も煩瑣であり且つ製造コストも高い等の課題がある。
【０００７】
そこで本発明は、すべて機械的作動で完結でき、且つ低コストで製造することができる簡易設置型の自動消火器を提案したものである。
【課題を解決するための手段】
【０００８】
本発明の請求項１記載に係る簡易型自動消火器は、消火液を収納した密封容器、及び前記容器内の底部まで挿入して接続した適宜長さの放出チューブ、及び放出チューブの先端に設けたシャワー口部を備えた消火系と、密封容器への高圧ガス供給源となる小型ガスボンベ、及び前記ボンベから密封容器への高圧ガス供給路の開口動作をなす作動機構部、及び高温検知によって動作するセンサ部、及びセンサ部の動作を作動機構部に伝達して動作させる伝達部を備えた駆動系で構成される自動消火器であって、前記伝達部をアウターチューブとインナーワイヤーで形成し、センサ部が所定のケース部内にバネ付勢力に抗して収納した高温溶融部材と前記バネ付勢力で動作される作動板とで構成され、前記インナーワイヤー端部と前記作動板とを連結すると共に、アウターチューブをケース部に固着し、作動部機構部が、固定部と動作部で構成され、前記インナーワイヤー端部と動作部とを連結すると共に、アウターチューブを固定部に固着してなることを特徴とするものである。
【０００９】
而して前記の簡易型自動消火器は、例えば台所のコンロ上方にシャワー口部が位置するように設置するもので、コンロ近傍で火災が発生した場合にその高温によって高温溶融部材が溶融し、バネ付勢力でインナーワイヤーが引かれ、同時にインナーワイヤーの他端の動作部を動かし、密封容器に高圧ガスが供給され、その圧力で密封容器内の消火液が押し出されて、シャワー口部から火災元のコンロに対して消火液を降らせ、初期消火を実現するもので、全ての動作は機械的制御で消火作動がなされるものである。
【００１０】
また本発明の請求項２記載に係る簡易型自動消火器は、密封容器、及び小型高圧ガスボンベ、及び作動機構部を適宜な設置可能な箱型本体内に収納し、センサ部及びシャワー口部を小型の先端ボックスに収納し、放出チューブと伝達部を箱型本体から突設して小型の先端ボックスを所定高さに張り出して支持する支持アーム内に収納してなるもので、請求項３記載の簡易型自動消火器は、前記支持アームをフレキシブルチューブとしたものである。
【００１１】
従って消火器全体が設置型の単一装置となるものであるから、箱型本体をコンロ脇等に配置し、支持アームで先端ボックスをコンロ上方に張り出すようにする等、本発明の自動消火器を所望の場所に設置することができる。
【００１２】
本発明の請求項４記載に係る簡易型自動消火器は、特に小型高圧ガスボンベをエアゾールタイプの開閉弁内蔵型とし、作動機構部の動作部にボンベ放出口の嵌合部を設けると共に、前記嵌合部と連通する供給管を接続してなるもので、例えば市販の自転車タイヤ空気入れボンベのような既存品を使用できる。
【発明の効果】
【００１３】
本発明の構成は上記のとおりで、消火液容器と消火液散布駆動のための高圧ガスボンベから離れた所望位置の配置されるセンサ部を、高温溶融部材の溶融による高温検知を採用すると共に、センサ部の検知をアウターチューブとインナーワイヤーからなる機械的伝達手段を採用したものであるから、例えばブレーキワイヤーとして多用されている既存品をそのまま利用することができ、製造容易で且つ機械的な制御で消火作動可能としたものである。
【図面の簡単な説明】
【００１４】
【図１】本発明の実施形態の全体構成の簡易なブロック図。
【図２】同全体の外観図（使用状態を示す）。
【図３】同先端ボックスの説明図。
【図４】同センサ部の断面図。
【図５】同設置型箱体の一部裁断した正面図。
【図６】同作動機構部の説明図（断面図）。
【図７】同図（動作説明図）。
【発明を実施するための形態】
【００１５】
次に本発明の実施形態について説明する。実施形態に示した簡易型自動消火器は、外観上が設置型の箱型本体０１と先端ボックス０２と前記箱型本体０１と先端ボックス０２の間を連結する支持アーム０３で構成され、箱型本体０１は例えば台所におけるコンロＢの近傍に設置できる程度の大きさで、支持アーム０３は可撓性を具備したフレキシブルチューブ等で形成したもので、その先端がコンロＢの上方に達する長さとし、その先端の先端ボックス０２を支持できる太さ及び強度を備えてなるものである。
【００１６】
消火器の消火機能を発揮するために、消火液Ａの貯留及び散布流路を構成する消火系と、火災時に消火剤散布作動をなす駆動系とを備えているものであるが、構成各部は、前記した箱型本体０１と先端ボックス０２と支持アーム０３内に収納してなるものである。
消火系は、密封容器１と放出チューブ２とシャワー口部３で構成される。密封容器１は例えば５００ｍｌ程度の容量で、適宜な消火液（油火災対応の炭酸カリウム溶液やフッ素系界面活性剤液等）Ａを充填し、ネジ式キャップ１１に放出チューブ２と高圧ガス供給路となる後述するガス供給チューブ６を密封装着したもので、箱型本体０１内に収納する。
【００１７】
放出チューブ２は適宜な樹脂チューブで柔軟性を備えて、一端は密封容器１の底面まで達するようにし、箱型本体０１から出た放出チューブ２は、支持アーム内０３内に収納して他端をシャワー口部３に連結してなるものである。
【００１８】
シャワー口部３は、消火液Ａを適宜な圧力でコンロＢ上に降らせる程度の小孔を多数穿設したもので、先端ボックス０２内に小孔が下向きとなるように装着したものである。
【００１９】
駆動系は、小型ガスボンベ４と作動機構部５とガス供給チューブ６と伝達部７とセンサ部８で構成される。
【００２０】
小型ガスボンベ４は、市販されている自転車タイヤ空気入れボンベを採用する。このボンベはエアゾールタイプで開閉弁内蔵型であり、突出放出口４１を下圧移動させると高圧ガスが噴出するものである。この小型ガスボンベ４を箱型本体０１内の載置台０４と、箱型本体０１内で固定されている横固定板（後述する作動機構部５の固定部横板５１１を兼ねる）の間に、突出放出口４１が突出するように装着して固定するものである。
【００２１】
作動機構部５は、固定部５１と動作部５２で構成され、固定部５１は箱型本体０１に固着されている部材で、前記の横固定板を兼ねる固定部横板５１１と、動作部５２を連結する固定部立板５１２からなり、動作部５２は、固定部立板５１２に基端を枢結した回動腕５２１と、回動腕の中間に前記小型ガスボンベ４の突出放出孔４１の先端が密着嵌合すると共に、ガス通路５２２を有する嵌合部５２３を設けたものである。
【００２２】
ガス供給チューブ６は、前記嵌合部５２３のガス通路５２２の出口に連結し、密封容器1内に接続し、密封容器１内の上方部分で開口しているものである。
【００２３】
伝達部７は、アウターチューブ７１とインナーワイヤー７２で形成されているもので、一般的に自転車のブレーキワイヤーとして多用されている既存品を利用し、支持アーム０３内に収納され、箱型本体０１内の作動機構部５と連結し、他端は先端ボックス０２内のセンサ部８と連結してなるものである。
【００２４】
作動機構部５との連結は、アウターチューブ７１を固定部横板の下面に固着し、インナーワイヤー７２をアウターチューブ７１から引き出して回動腕５２１の先端箇所に連結してなる。
【００２５】
センサ部８は、ケース部８１内の尾方側に、発条８２と発条８２の先端箇所に配置した作動板８３を備え、高温溶融部材（設定温度で溶融開始）８４を発条８２の付勢力に抗してケース部８１内の前方側に装着収納したもので、伝達部７のアウターチューブ７１をケース部８１の尾端に固着し、インナーワイヤー７２を作動板８３に連結したものである。
【００２６】
而して前記の簡易型自動消火器は、例えば台所のコンロＢの側方に箱型本体０１に配置し、支持アーム０３を曲げて先端ボックス０２をコンロ上方に張り出すように設置しておき、てんぷら調理等において油火災が発生すると、消化液Ａが先端ボックス０２のシャワー口部３から降り注がれて初期消火をなすものである。
【００２７】
即ち火災の発生により、雰囲気が高温状態となると、高温溶融部材８４が溶融し、圧縮状態の発条８２が開放され、発条８２で作動板８３が押し出されると、作動板８３に連結したインナーワイヤー７２が引かれる。
【００２８】
その結果、箱型本体０１内において作動機構部５の回動腕５２１をインナーワイヤー７２で引き下げ、小型ガスボンベ４の突出放出口４１が押し下げられることになり、小型ガスボンベ４から高圧ガスＣが放出される。高圧ガスＣはガス供給チューブ６を通って密封容器１内に供給され、密封容器１の圧力が高まることにより、消火液Ａが押し出され、放出チューブ２をとおってシャワー口部３から放出されことになる。
【００２９】
このように本発明の簡易型自動消火器は、全て機械的駆動でなされる設置タイプであり、小型ガスボンベと密封容器の容量を適宜設定することで消火能力も任意に選択でき、しかも電源等を必要とせずに所望の箇所に容易に配置できるものである。
【００３０】
尚本発明は上記した実施形態に限定されるものではなく、例えばシャワー口部とセンサ部は先端ボックスに組み込まずに、別々に配置するようにしても良いし、また作動機構部も小型ガスボンベからの高圧ガス放出可能な構造であれば良く、他の構造も採用できるものである。
【符号の説明】
【００３１】
０１    箱型本体
０２    先端ボックス
０３    支持アーム
０４    載置台
１      密封容器
１１    ネジ式キャップ
２      放出チューブ
３      シャワー口部
４      小型ガスボンベ
４１    突出放出口
５      作動機構部
５１    固定部
５１１    固定部横板
５１２    固定部立板
５２    動作部
５２１    回動腕
５２２    ガス通路
５２３    嵌合部
６      ガス供給チューブ
７      伝達部
７１    アウターチューブ
７２    インナーワイヤー
８      センサ部
８１    ケース部
８２    発条
８３    作動板
８４    高温溶融部材
【図１】
2018057489.tif 000003
【図２】
2018057489.tif 000004
【図３】
2018057489.tif 000005
【図４】
2018057489.tif 000006
【図５】
2018057489.tif 000007
【図６】
2018057489.tif 000008
【図７】
2018057489.tif 000009
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
消火液を収納した密封容器、及び前記容器内の底部まで挿入して接続した適宜長さの放出チューブ、及び放出チューブの先端に設けたシャワー口部を備えた消火系と、密封容器への高圧ガス供給源となる小型ガスボンベ、及び前記ボンベから密封容器への高圧ガス供給路の開口動作をなす作動機構部、及び高温検知によって動作するセンサ部、及びセンサ部の動作を作動機構部に伝達して動作させる伝達部を備えた駆動系で構成される自動消火器であって、
前記密封容器、小型高圧ガスボンベ及び作動機構部を適宜な設置可能な箱型本体内に収納し、センサ部及びシャワー口部を適宜な先端ボックスに収納し、
放出チューブ及びアウターチューブとインナーワイヤーで形成した伝達部を、前記箱型本体から突設して先端ボックスを所定高さに張り出して支持するフレキシブルチューブで形成した支持アーム内に収納し、
箱型本体内に収納される小型高圧ガスボンベをエアゾールタイプの開閉弁内蔵型とし、作動機構部を固定部と動作部で構成して、前記インナーワイヤー端部と動作部とを連結すると共に、アウターチューブを固定部に固着し、動作部に前記ボンベの放出口を下圧開口する嵌合部を設けると共に、前記嵌合部と連通するガス供給チューブを密閉容器に接続して高圧ガス供給路を形成し、
前記先端ボックスに収納したセンサ部を、所定のケース部内にバネ付勢力に抗して収納した高温溶融部材と前記バネ付勢力で動作される作動板とで構成し、前記インナーワイヤー端部と前記作動板とを連結すると共に、アウターチューブをケース部に固着してなることを特徴とする簡易型自動消火器。
【手続補正２】
【補正対象書類名】明細書
【補正対象項目名】０００８
【補正方法】変更
【補正の内容】
【０００８】
本発明に係る簡易型自動消火器は、消火液を収納した密封容器、及び前記容器内の底部まで挿入して接続した適宜長さの放出チューブ、及び放出チューブの先端に設けたシャワー口部を備えた消火系と、密封容器への高圧ガス供給源となる小型ガスボンベ、及び前記ボンベから密封容器への高圧ガス供給路の開口動作をなす作動機構部、及び高温検知によって動作するセンサ部、及びセンサ部の動作を作動機構部に伝達して動作させる伝達部を備えた駆動系で構成される自動消火器であって、前記密封容器、小型高圧ガスボンベ及び作動機構部を適宜な設置可能な箱型本体内に収納し、センサ部及びシャワー口部を適宜な先端ボックスに収納し、放出チューブ及びアウターチューブとインナーワイヤーで形成した伝達部を、前記箱型本体から突設して先端ボックスを所定高さに張り出して支持するフレキシブルチューブで形成した支持アーム内に収納し、箱型本体内に収納される小型高圧ガスボンベをエアゾールタイプの開閉弁内蔵型とし、作動機構部を固定部と動作部で構成して、前記インナーワイヤー端部と動作部とを連結すると共に、アウターチューブを固定部に固着し、動作部に前記ボンベの放出口を下圧開口する嵌合部を設けると共に、前記嵌合部と連通するガス供給チューブを密閉容器に接続して高圧ガス供給路を形成し、前記先端ボックスに収納したセンサ部を、所定のケース部内にバネ付勢力に抗して収納した高温溶融部材と前記バネ付勢力で動作される作動板とで構成し、前記インナーワイヤー端部と前記作動板とを連結すると共に、アウターチューブをケース部に固着してなることを特徴とするものである。
【手続補正３】
【補正対象書類名】明細書
【補正対象項目名】０００９
【補正方法】変更
【補正の内容】
【０００９】
而して前記の簡易型自動消火器は、例えば台所のコンロ上方にシャワー口部が位置するように設置するもので、コンロ近傍で火災が発生した場合にその高温によって高温溶融部材が溶融し、バネ付勢力でインナーワイヤーが引かれ、同時にインナーワイヤーの他端で動作部を動かし、密封容器に高圧ガスが供給され、その圧力で密封容器内の消火液が押し出されて、シャワー口部から火災元のコンロに対して消火液を降らせ、初期消火を実現するもので、全ての動作は機械的制御で消火作動がなされるものである。
【手続補正４】
【補正対象書類名】明細書
【補正対象項目名】００１０
【補正方法】変更
【補正の内容】
【００１０】
また特に、密封容器、及び小型高圧ガスボンベ、及び作動機構部を適宜な設置可能な箱型本体内に収納し、センサ部及びシャワー口部を小型の先端ボックスに収納し、放出チューブと伝達部を箱型本体から突設して小型の先端ボックスを所定高さに張り出して支持するフレキシブルチューブで形成した支持アーム内に収納してなるものである。
【手続補正５】
【補正対象書類名】明細書
【補正対象項目名】００１２
【補正方法】変更
【補正の内容】
【００１２】
さらに小型高圧ガスボンベをエアゾールタイプの開閉弁内蔵型とし、動作部に前記ボンベの放出口を下圧開口する嵌合部を設けると共に、前記嵌合部と連通する供給管を密閉容器に接続して高圧ガス供給路を形成したもので、例えば市販の自転車タイヤ空気入れボンベのような既存品を使用できる。